(57)【要約】【課題】省電力モードにおける電力消費を零ないし従来の省電力モードに比して極めて小さくすることが可能なディスプレイの電源制御装置を提供する。【解決手段】一定時間の間にＲＧＢ信号に変化がないとき、コンピュータ７が電源制御信号９ＡをＯＦＦにすると、入力制御部６が表示制御部４に表示部の表示を消させる。電源制御部２が入力制御部と表示制御部とへの電源供給を停止し、電源制御信号９ＢをＯＦＦにすると、コンピュータが、電源制御信号９ＣをＯＦＦにして、ＡＣスイッチ１１を開放にし、ＡＣ電源６の電源部への供給を遮断する。これによって、電力消費は零になる。次に、ＲＧＢ信号に変化がでると、電源制御信号９ＣがＯＮになり、ＡＣスイッチが導通し、電源制御部が立ちあがり、表示制御部と入力制御部に電源が供給される。電源制御部が電源制御信号９ＢをＯＮにすると、コンピュータから表示信号が送られ、表示部の表示が再開される。【選択図】        図２
2004163509.tif 000002
【特許請求の範囲】
【請求項１】
ディスプレイ信号供給装置からディスプレイ表示信号が供給されるディスプレイの電源制御装置であって、ディスプレイの表示部に前記ディスプレイ信号供給装置からの前記ディスプレイ表示信号による表示を行わせる表示制御部と、前記ディスプレイ信号供給装置から前記ディスプレイ表示信号を受け取る入力制御部と、電源を前記表示制御部、前記表示部、および、前記入力制御部に供給する電源制御部と、を有し、前記ディスプレイ信号供給装置から、そのアクティブ時に第１レベル、そのアイドル時に第２レベルとなる表示切替信号が入力され、第２レベルの前記表示切替信号により、前記入力制御部が前記表示制御部に命じて前記表示部の表示をＯＦＦとするとともに、前記電源制御部が前記表示制御部、前記表示部、および、前記入力制御部への電源の供給をＯＦＦとすることを特徴とするディスプレイの電源制御装置。
【請求項２】
ディスプレイ信号供給装置からディスプレイ表示信号が供給されるディスプレイの電源制御装置であって、ディスプレイの表示部に前記ディスプレイ信号供給装置からの前記ディスプレイ表示信号による表示を行わせる表示制御部と、電源を前記表示制御部および前記表示部に供給する電源制御部と、前記電源制御部に供給される電源のＯＮ／ＯＦＦを制御する電源ＯＮ／ＯＦＦ手段と、を有し、前記ディスプレイ信号供給装置から、そのアクティブ時に第１レベル、そのアイドル時に第２レベルとなる電源切替信号が入力され、前記電源ＯＮ／ＯＦＦ手段は第１レベルの前記電源切替信号により前記電源制御部に供給される電源をＯＮに、第２レベルの前記電源切替信号により前記電源制御部に供給される電源をＯＦＦに切り替えることを特徴とするディスプレイの電源制御装置。
【請求項３】
前記電源制御部から前記表示部への電源供給が前記表示制御部を介して行なわれることを特徴とする請求項１または２に記載のディスプレイの電源制御装置。
【請求項４】
前記ディスプレイ信号供給装置から、そのアクティブ時に第１レベル、そのアイドル時に第２レベルとなる表示切替信号が入力され、第２レベルの前記表示切替信号により、前記表示制御部が前記表示部の表示をＯＦＦにすることを特徴とする請求項２または３に記載のディスプレイの電源制御装置。
【請求項５】
第２レベルの前記表示切替信号による前記表示部の表示のＯＦＦを前記表示制御部に命令する入力制御部を有し、該入力制御部が前記電源制御部によって電源を供給されていることを特徴とする請求項４に記載のディスプレイの電源制御装置。
【請求項６】
前記表示部の表示のＯＦＦの後に、前記電源制御部が、前記表示制御部および前記表示部、または、前記表示制御部および前記表示部および前記入力制御部への電源の供給をＯＦＦにすることを特徴とする請求項４または５に記載のディスプレイの電源制御装置。
【請求項７】
前記電源制御部から前記表示制御部、または、前記表示制御部および前記入力制御部への電源の供給がＯＮのときに第１レベル、ＯＦＦのときに第２レベルとなる電源供給状態通知信号を前記ディスプレイ信号供給装置に通知する請求項１から６のいずれかに記載のディスプレイの電源制御装置。
【請求項８】
前記表示切替信号が、前記電源制御部に入力されることを特徴とする請求項１、４から７のいずれかに記載のディスプレイの電源制御装置。
【請求項９】
前記表示切替信号が、前記入力制御部に入力されることを特徴とする請求項１、５から７のいずれかに記載のディスプレイの電源制御装置。
【請求項１０】
前記電源ＯＮ／ＯＦＦ手段が、制御端子と入力端子と出力端子とを有し制御端子への制御信号に基づいて入力端子と出力端子との間が導通／開放される半導体スイッチであり、前記制御端子に前記電源切替信号が入力されることを特徴とする請求項２から９のいずれかに記載のディスプレイの電源制御装置。
【請求項１１】
請求項１から１０のいずれかに記載のディスプレイの電源制御装置の電源制御方法であって、ディスプレイ信号供給装置から入力される表示切替信号または電源切替信号が第２レベルになると、入力制御部または電源制御部に供給される電源がＯＦＦになることを特徴とするディスプレイの電源制御方法。
【請求項１２】
前記電源切替信号が第１レベルになると、前記電源制御部に供給される電源がＯＮになることを特徴とする請求項１１に記載のディスプレイの電源制御方法。
【請求項１３】
表示切替信号が第２レベルになると、表示制御部によってディスプレイの表示部の表示が消される過程と、前記電源制御部によって前記表示制御部、または、前記表示制御部および入力制御部への電源の供給が停止される過程と、電源供給状態通知信号が第２レベルにされる過程と、を有することを特徴とする請求項１１または１２に記載のディスプレイの電源制御方法。
【請求項１４】
電源切替信号が第１レベルになると、前記電源制御部によって前記表示制御部、または、前記表示制御部および前記入力制御部への電源の供給が行なわれる過程と、前記電源供給状態通知信号が第１レベルにされる過程と、前記表示制御部によって前記ディスプレイの表示部の表示が開始される過程と、を有することを特徴とする請求項１３に記載のディスプレイの電源制御方法。
【請求項１５】
請求項１から１０のいずれかに記載のディスプレイの電源制御装置の電源制御プログラムであって、ディスプレイ信号供給装置から入力される表示切替信号または電源切替信号が第２レベルになると、電源制御部に供給される電源がＯＦＦにされる手順をコンピュータに実行させるためのディスプレイの電源制御プログラム。
【請求項１６】
前記電源切替信号が第１レベルになると、前記電源制御部に供給される電源がＯＮにされる手順を備えることを特徴とする請求項１５に記載のディスプレイの電源制御プログラム。
【請求項１７】
表示切替信号が第２レベルになると、表示制御部によってディスプレイの表示部の表示が消される手順と、電源制御部によって前記表示制御部、または、前記表示制御部および入力制御部への電源の供給が停止される手順と、電源供給状態通知信号が第２レベルにされる手順と、を備え、また、電源切替信号が第１レベルになると、前記電源制御部によって前記表示制御部、または、前記表示制御部および前記入力制御部への電源の供給が行なわれる手順と、前記電源供給状態通知信号が第１レベルにされる手順と、前記表示制御部によって前記ディスプレイの表示部の表示が開始される手順と、を備えることを特徴とする請求項１５または１６に記載のディスプレイの電源制御プログラム。
【発明の詳細な説明】
【０００１】
【発明の属する技術分野】
本発明は、コンピュータ装置に接続されたディスプレイの省電力化を可能にするディスプレイの電源制御装置、電源制御方法および電源制御プログラムに関するものである。
【０００２】
【従来の技術】
ＰＣ（パーソナルコンピュータ）などのコンピュータ装置が接続されたディスプレイにおいては、ある一定時間の間、コンピュータ装置からの信号入力がない場合ないし入力信号に変化がない場合、電力消費を軽減させるために表示部への電源供給を停止し、待ち受けモードとなるように電源制御を行なうことが行なわれている。図７は、従来のディスプレイの電源制御方法を説明するためのブロック図である。図７において、電源制御部１０２は、電源部１０３からの電源を表示制御部１０４、入力制御部１０５、および表示部１０１に供給している。例えば、入力制御部１０５が、コンピュータからのキーボード信号やマウス信号を監視していて、ある一定時間の間にそれらの信号が入力ありの状態にならなかった場合に、入力制御部１０５は、表示制御部１０４に対して表示部１０１への信号の送出を停止するよう命令を送り、命令を受けた表示制御部１０４は、表示部１０１への信号の送出を停止するとともに、電源制御部１０２に対して表示制御部１０４および表示部１０１への電源供給を停止するよう命令する。これによって表示制御部１０４および表示部１０１への電源の供給が断たれ、消費電力が抑えられる。キーボード信号やマウス信号は、コンピュータを経由せずに、直接、表示制御部１０４に入力される方式も提案されている（例えば、特許文献１参照。）。あるいは、コンピュータの動作状態が一定時間の間アイドル状態になったとき、コンピュータからの信号の出力を止めて、入力制御部１０５にその状態を認識させて、省電力モードに移らせる方式もある。また、入力制御部１０５が、コンピュータから出力されるＲＧＢ信号を監視していて、一定時間の間にＲＧＢ信号が変化しなかった場合に、表示制御部１０４を用いて表示部１０１への信号の送出を遮断し、さらに一定時間の後にもＲＧＢ信号に変化がなかった場合には、電源制御部１０２に表示部１０１への電源供給を停止させる電源制御方法も提案されている（例えば、特許文献２参照。）。
【０００３】
【特許文献１】
特開平０３−１６８８２０号公報  （第２頁、第１図、第３図）
【特許文献２】
特開平０９−３１９３４６号公報  （第３頁、図１）
【０００４】
【発明が解決しようとする課題】
上述のいずれの従来のディスプレイの電源制御方法においても、省電力モードであっても、いつキー信号やＲＧＢ信号などが入力されるか、あるいは、いつＲＧＢ信号が変化するかを常に監視している必要がある。したがって、入力制御部には常に通電しておかなければならず、そのためには、電源部の回路、電源制御部の回路も動作させておかなければならない。このため、省電力モードにおいても、一定の電力消費が行なわれる。
【０００５】
本発明は、上記課題に鑑みてなされたものであって、その目的は、省電力モードにおける電力消費を零にする、ないし、少なくとも従来のディスプレイの電源制御方法に比して大幅に軽減するディスプレイの電源制御装置、電源制御方法および電源制御プログラムを提供することである。
【０００６】
【課題を解決するための手段】
上記目的を達成するため、本発明によれば、ディスプレイ信号供給装置からディスプレイ表示信号が供給されるディスプレイの電源制御装置であって、ディスプレイの表示部に前記ディスプレイ信号供給装置からの前記ディスプレイ表示信号による表示を行わせる表示制御部と、前記ディスプレイ信号供給装置から前記ディスプレイ表示信号を受け取る入力制御部と、電源を前記表示制御部、前記表示部、および、前記入力制御部に供給する電源制御部と、を有し、前記ディスプレイ信号供給装置から、そのアクティブ時に第１レベル、そのアイドル時に第２レベルとなる表示切替信号が入力され、第２レベルの前記表示切替信号により、前記入力制御部が前記表示制御部に命じて前記表示部の表示をＯＦＦとするとともに、前記電源制御部が前記表示制御部、前記表示部、および、前記入力制御部への電源の供給をＯＦＦとすることを特徴とするディスプレイの電源制御装置、が提供される。
【０００７】
また、上記目的を達成するため、本発明によれば、ディスプレイ信号供給装置からディスプレイ表示信号が供給されるディスプレイの電源制御装置であって、ディスプレイの表示部に前記ディスプレイ信号供給装置からの前記ディスプレイ表示信号による表示を行わせる表示制御部と、電源を前記表示制御部および前記表示部に供給する電源制御部と、前記電源制御部に供給される電源のＯＮ／ＯＦＦを制御する電源ＯＮ／ＯＦＦ手段と、を有し、前記ディスプレイ信号供給装置から、そのアクティブ時に第１レベル、そのアイドル時に第２レベルとなる電源切替信号が入力され、前記電源ＯＮ／ＯＦＦ手段は第１レベルの前記電源切替信号により前記電源制御部に供給される電源をＯＮに、第２レベルの前記電源切替信号により前記電源制御部に供給される電源をＯＦＦに切り替えることを特徴とするディスプレイの電源制御装置、が提供される。
【０００８】
また、上記目的を達成するため、本発明によれば、前記ディスプレイの電源制御装置の電源制御方法であって、ディスプレイ信号供給装置から入力される表示切替信号または電源切替信号が第２レベルになると、入力制御部または電源制御部に供給される電源がＯＦＦになることを特徴とするディスプレイの電源制御方法、が提供される。
【０００９】
また、上記の目的を達成するため、本発明によれば、前記ディスプレイの電源制御装置の電源制御プログラムであって、ディスプレイ信号供給装置から入力される表示切替信号または電源切替信号が第２レベルになると、電源制御部に供給される電源がＯＦＦにされる手順をコンピュータに実行させるためのディスプレイの電源制御プログラム、が提供される。
【００１０】
【発明の実施の形態】
次に、本発明の実施の形態について図面を参照して詳細に説明する。
〔第１の実施の形態〕
図１は、本発明の第１の実施の形態に係るディスプレイの電源制御装置のブロック図である。図１に示すように、本発明に係るディスプレイの電源制御装置１０は、ディスプレイの表示部１の表示状態を制御する表示制御部４と、外部のＡＣ電源から電源制御装置１０内にＤＣ電源を供給する電源部３と、電源部３から供給されたＤＣ電源を制御して電源制御装置１０内の各部に供給する電源制御部２と、コンピュータからの電源制御信号を入力して表示部１の表示状態を表示制御部４に命令する入力制御部５と、を有している。本実施の形態においては、入力制御部５のみではなく、電源部３および電源制御部２とコンピュータとの間でも、電源制御信号の入出力が行なわれている。ディスプレイの表示部１には、表示制御部４を介して電源制御部２から電源が供給されている。電源制御装置１０と表示部１とは一体となって、ディスプレイを構成している。
【００１１】
図２は、本実施の形態に係るディスプレイの電源制御装置とコンピュータとの間の信号の入出力を説明するためのブロック図である。図２において、図１の部分と同等の部分には等しい参照符号を付し重複する説明を適宜省略する。図２に示すように、コンピュータから入力制御部５にＲＧＢ信号Ｒ、Ｇ、Ｂ、垂直同期信号Ｖ、水平同期信号Ｈなどのディスプレイ表示信号が入力されるほかに、コンピュータと電源制御装置との間で、電源制御信号９Ａ、９Ｂ、９Ｃの入出力が行なわれる。電源制御信号９Ａ、９Ｂ、９Ｃは全て、Ｈｉｇｈ／Ｌｏｗ２値信号よりなっている。電源制御信号９Ａは、コンピュータから入力制御部５に送られ、表示部の表示のＯＮ／ＯＦＦを制御するために用いられる表示切替信号である。電源制御信号９Ｂは、電源制御部からコンピュータに電源制御装置の各部への電源供給状態を通知するために使用される電源供給状態通知信号である。電源制御信号９Ｃは、電源部３のＡＣ／ＤＣ変換手段１２へのＡＣ電源の入力のＯＮ／ＯＦＦを制御するために用いられる電源切替信号である。具体的には、電源制御信号９Ｃは、スイッチ１１の制御端子１１ｃに入力される。スイッチ１１は、制御端子１１ｃにＨｉｇｈ信号、Ｌｏｗ信号が入力されると、入力端子１１ａと出力端子１１ｂとの間が、それぞれ、導通状態、開放状態となる半導体パワースイッチである。したがって、電源制御信号９ＡがＨｉｇｈ状態になると、ＡＣ電源が、ＡＣ／ＤＣ変換手段１２に入力され、ＡＣ／ＤＣ変換手段１２によってＤＣ電源に変換され、電源制御部に供給される。電源制御信号９ＡがＬｏｗ状態になると、ＡＣ電源のＡＣ／ＤＣ変換手段１２への入力が遮断される。
図３は、本実施の形態に係るディスプレイの電源制御装置の動作を説明するためのタイミングチャートである。
【００１２】
次に、図１、図２、図３を用いて、本実施の形態に係るディスプレイの電源制御装置の動作をさらに詳細に説明する。
コンピュータがアイドル状態になくアクティブ状態にあるとき、電源制御信号９Ａ、９Ｂ、９Ｃは全て、Ｈｉｇｈ状態になっている。コンピュータは、自らの動作状態を常に監視しており、次にコンピュータがアイドル状態になって、一定の設定時間Ｔの間、ＲＧＢ信号Ｒ、Ｇ、Ｂに変化がなくなると、
（１）コンピュータは、ディスプレイの消費電力をセーブするために、入力制御部５への電源制御信号９ＡをＬｏｗ状態とする。
（２）入力制御部５は、表示制御部４に対して、表示部１へのディスプレイ表示信号の送出をとめるよう命令を送る。
（３）表示部１の表示が消えたら、表示制御部４は、電源制御部２に対して、表示制御部４と入力制御部５への電源を落としてよいことを伝える。
（４）電源を落としてよいことを確認した電源制御部２は、表示制御部４と入力制御部５への電源供給を止める。電源制御部２は、表示制御部４と入力制御部５への電源供給をＯＮ／ＯＦＦさせる電源制御回路を有している。
（５）表示制御部４と入力制御部５への電源供給停止が完了したことを確認した電源制御部２は、電源制御信号９ＢをＬｏｗ状態にする。
（６）電源制御信号９ＢがＬｏｗ状態になったことを確認したコンピュータは、入力制御部５へのディスプレイ表示信号の送出を停止するとともに、電源制御信号９ＣをＬｏｗ状態にする。電源制御信号９ＣがＬｏｗ状態になると、スイッチ１１の入力端子１１ａと出力端子１１ｂとの間が開放状態になり、ＡＣ／ＤＣ変換手段１２へのＡＣ電源の入力が切断され、電源制御部２への電源供給も停止される。このとき、ＡＣ／ＤＣ変換手段１２を動作させるための回路を含めて電源部３内の全電気回路への電源供給が停止される。
【００１３】
次に、例えば、映像信号Ｒ、Ｇ、Ｂに変化が生じて、コンピュータがアイドル状態を脱すると、
（７）コンピュータは、電源制御信号９ＣをＨｉｇｈ状態にする。
（８）電源制御信号９ＣがＨｉｇｈ状態になると、スイッチ１１の入力端子１１ａと出力端子１１ｂとの間が導通状態になり、ＡＣ／ＤＣ変換手段にＡＣ電源が入力される。このとき、電源部３内の全電気回路への電源供給も再開される。
（９）ＡＣ電源は、ＡＣ／ＤＣ変換手段１２によってＤＣ電源に変換されて電源制御部２に供給され、電源制御部２を立ち上げる。
（１０）電源制御部２は、表示制御部４および入力制御部５に電源を供給すると同時に、電源制御信号９ＢをＨｉｇｈ状態にする。
（１１）電源制御信号９ＢがＨｉｇｈ状態になったことを確認して、コンピュータは，入力制御部５にディスプレイ表示信号を送出するとともに、電源制御信号９ＡをＨｉｇｈ状態にする。
（１２）ディスプレイ表示信号は、入力制御部５を通過して表示制御部４に送られる。入力制御部５は，ディスプレイ表示信号が入力されたことと電源制御信号９ＡがＨｉｇｈ状態になったこととのいずれか、あるいは、両方を感知して、表示制御部４に、表示部１の表示を開始するよう命令を送る。
（１３）表示制御部４が表示部１にディスプレイ表示信号を送ると、表示部１の画面の表示が開始される。
【００１４】
以上により、省電力モード時に電源部３へのＡＣ電源の供給が切断された結果、表示部１と電源制御装置１０とを含むディスプレイ全体への電源の供給がなくなり、省電力モード時のディスプレイの消費電力は完全に零になる。
【００１５】
なお、（６）の過程におけるコンピュータからのディスプレイ表示信号の送出の停止は、（３）〜（６）の過程のいずれの時点において行なわれてもよく、また、行なわれなくてもよい。（１１）の過程におけるディスプレイ表示信号の送出は、（７）〜（１１）の過程のいずれの時点において行なわれてもよい。さらに、表示部１への電源の供給は、表示制御部４を介さずに電源制御部２から直接に供給されてもよい。この場合、表示部１への電源の供給の遮断は、（４）の過程で行なわれるのが好ましいが、（４）〜（６）の過程のいずれの時点において行なわれてもよい。
【００１６】
〔第２の実施の形態〕
図４は、本発明の第２の実施の形態に係るディスプレイの電源制御装置とコンピュータとの間の信号の入出力を説明するためのブロック図である。図４において、図２の部分と同等の部分には等しい参照符号を付し重複する説明を適宜省略する。本実施の形態が図２に示した第１の実施の形態と異なる点は、電源制御信号９Ａが、コンピュータから、入力制御部５ではなく電源制御部２に入力されているという点である。
【００１７】
コンピュータがアイドル状態になくアクティブ状態で動作しているとき、電源制御信号９Ａ、９Ｂ、９Ｃは全て、Ｈｉｇｈ状態になっている。次に、コンピュータがアイドル状態になると、コンピュータは、電源制御信号９ＡをＬｏｗ状態とする。そうすると、電源制御信号９ＡがＬｏｗ状態になったことを検知して、電源制御部２は、表示制御部４および入力制御部５への電源供給停止の用意をするとともに、入力制御部５に表示部の表示を消すように指示する。以後は、第１の実施の形態の（２）〜（６）の過程と同様の過程で、省電力モードにはいる。
【００１８】
次に、コンピュータがアイドル状態を脱すると、
（１４）コンピュータは、電源制御信号９Ａ、９ＣをＨｉｇｈ状態にする。
（１５）電源制御信号９ＣがＨｉｇｈ状態になると、ＡＣ／ＤＣ変換手段にＡＣ電源が入力される。
（１６）ＡＣ／ＤＣ変換手段に入力されたＡＣ電源は、ＤＣ電源に変換されて電源制御部２に供給され、電源制御部２を立ち上げる。
（１７）電源制御部２は、表示制御部４および入力制御部５に電源を供給するとともに、入力制御部５に表示部を表示可能な状態にするように命令する。同時に、電源制御部２は、電源制御信号９ＢをＨｉｇｈ状態にする。
（１８）入力制御部５が，表示制御部４に表示部を表示可能な状態にするように命令し、表示制御部４が、その命令を受けて、ディスプレイ表示信号が入力されると表示部がディスプレイ表示信号を表示するような待機状態を取る。
（１９）電源制御信号９ＢがＨｉｇｈ状態になったことを確認して、コンピュータは，入力制御部５にディスプレイ表示信号を送出する。
（２０）ディスプレイ表示信号は、入力制御部５を通過して表示制御部４に送られる。表示制御部４が待機状態となっているので、即座に表示部の表示が開始される。
【００１９】
本実施の形態においても、第１の実施の形態と同様に、省電力時のディスプレイの消費電力は完全に零になる。
なお、コンピュータが電源制御信号９ＡをＬｏｗレベルとしたときに、電源制御部２は、入力制御部５にではなく、表示制御部４に、表示部の表示を消すように直接命令してもよい。そして、コンピュータが電源制御信号９ＡをＨｉｇｈレベルとしたときに、電源制御部２は、表示制御部４に，表示部を表示可能な状態にするように直接命令してもよい。この場合、入力制御部５を省略することが可能である。また、電源制御信号９Ａは、（１４）〜（２０）の過程のいずれの時点においてＨｉｇｈ状態になされてもよい。
【００２０】
〔第３の実施の形態〕
図５は、本発明の第３の実施の形態に係るディスプレイの電源制御装置とコンピュータとの間の信号の入出力を説明するためのブロック図である。図５において、図４の部分と同等の部分には等しい参照符号を付し重複する説明を適宜省略する。本実施の形態が図４に示した第２の実施の形態と異なる点は、ＡＣ／ＤＣ変換手段１２がスイッチ１１の入力端子に接続されているという点である。スイッチ１１は、図２に示した第１の実施の形態のスイッチと同様の半導体パワースイッチである。
【００２１】
本実施の形態の動作は、第２の実施の形態の動作に同様である。ただし、本実施の形態の場合には、省電力モードの際にも、ＡＣ／ＤＣ変換手段を動作させる回路への電力供給が必要であり、消費電力を完全に零にすることはできない。しかしながら、その消費電力は、従来のディスプレイの電源制御方法で必要とされる消費電力に比して極めて小さい。本実施の形態では、常にＤＣ電源が用意されているため、動作が速いという特徴を有する。
【００２２】
なお、電源制御信号９Ａを、電源制御部２ではなく、第１の実施の形態と同様に入力制御部５に入力し、本実施の形態に係るディスプレイの電源制御装置を、第１の実施の形態と同様に動作させてもよい。
【００２３】
〔第４の実施の形態〕
図６は、本発明の第４の実施の形態に係るディスプレイの電源制御装置のブロック図である。図６において、図１の部分と同等の部分には等しい参照符号を付し重複する説明を適宜省略する。本実施の形態が図１に示した第１の実施の形態と異なる点は、コンピュータからディスプレイ表示信号と同時にＤＣ電源がディスプレイの電源制御装置に供給され、ＤＣ電源は、電源制御部２に入力されるという点である。
【００２４】
この場合、電源制御部２の前段には図２、４、５のいずれかに示される電源部３のスイッチ１１と同様のスイッチが配置されており、電源制御部に入力されたＤＣ電源は、図２、４、５のいずれかに示される電源制御信号と同様の電源制御信号によって、電源制御装置の内部への供給を行なわれたり、遮断されたりする。本実施の形態の動作は、第１〜第３の実施の形態のいずれかの動作と同様である。本実施の形態においては、ＡＣ／ＤＣ変換手段が不要であるので、省電力モード時のディスプレイの消費電力は完全に零になる。
なお、ＤＣ電源は、必ずしも、コンピュータから直接に入力されなくてもよい。
【００２５】
以上、本発明をその好適な実施の形態に基づいて説明したが、本発明のディスプレイの電源制御装置および電源制御方法は、上述した実施の形態のみに制限されるものではなく、本願発明の要旨を変更しない範囲で種々の変化を施したディスプレイの電源制御装置および電源制御方法も、本発明の範囲に含まれる。例えば、省電力モードにはいる際に参照される信号としては、ＲＧＢ信号のみではなく、キー入力信号やマウス入力信号などのコンピュータがアイドル状態にあるか否かを判断できる信号であればどのような信号でも用いられ得る。また、電源制御装置は、表示部と一体になったディスプレイを構成していてもよいし、分離されていてもよい。さらに、本発明のディスプレイの電源制御装置および電源制御方法が有する機能は、ディスプレイの電源制御の処理内容を記述したプログラムを、ディスプレイの電源制御装置の内部に設置されたコンピュータ、あるいは、ディスプレイの電源制御装置にディスプレイ表示信号を供給するコンピュータを含む外部に設置されたコンピュータで実行することによって、実現可能である。そのプログラムは、磁気ディスクやＣＤ等の光ディスクなどの記録媒体に記録しておくこともできるし、また、インターネット等のネットワークを通して転送して流通させることもできる。コンピュータは、記録媒体あるいはネットワークからプログラムを読み取り、そのプログラムに従った処理を実行する。
【００２６】
【発明の効果】
以上説明したように、本発明のディスプレイの電源制御装置、電源制御方法および電源制御プログラムは、ビデオ信号監視のための回路をもたず、直接に電源入力を制御することによって省電力モードを実現するものであるから、省電力モードにおける電力消費を零、ないし、従来の省電力モードに比して極めて小さくすることが可能である。
【図面の簡単な説明】
【図１】本発明の第１の実施の形態に係るディスプレイの電源制御装置のブロック図。
【図２】本発明の第１の実施の形態に係るディスプレイの電源制御装置とコンピュータとの間の信号の入出力を説明するためのブロック図。
【図３】本発明の第１の実施の形態に係るディスプレイの電源制御装置の動作を説明するためのタイミングチャート。
【図４】本発明の第２の実施の形態に係るディスプレイの電源制御装置とコンピュータとの間の信号の入出力を説明するためのブロック図。
【図５】本発明の第３の実施の形態に係るディスプレイの電源制御装置とコンピュータとの間の信号の入出力を説明するためのブロック図。
【図６】本発明の第４の実施の形態に係るディスプレイの電源制御装置のブロック図。
【図７】従来のディスプレイの電源制御方法を説明するためのブロック図。
【符号の説明】
１  表示部
２  電源制御部
３  電源部
４  表示制御部
５  入力制御部
１０  電源制御装置
１１  スイッチ
１１ａ  入力端子
１１ｂ  出力端子
１１ｃ  制御端子
１２  ＡＣ／ＤＣ変換手段
【図１】
2004163509.tif 000003
【図２】
2004163509.tif 000004
【図３】
2004163509.tif 000005
【図４】
2004163509.tif 000006
【図５】
2004163509.tif 000007
【図６】
2004163509.tif 000008
【図７】
2004163509.tif 000009